(57)【要約】  インクジェットインクは、インクビヒクルと、着色剤と、ジエチレングリコールＣ３〜８アルキルエーテルと、式（Ｉ）の第１の界面活性剤と、第１の界面活性剤とは異なる第２の界面活性剤と、を含み、第１の界面活性剤は、第２の界面活性剤よりも多い量で存在する。2021535940.tif 000015【選択図】なし
2021535940.tif 000002
【特許請求の範囲】
【請求項１】
インクビヒクルと、
ジエチレングリコールＣ３〜８アルキルエーテルと、
式（Ｉ）の第１の界面活性剤と、
2021535940.tif 000012
前記第１の界面活性剤とは異なる第２の界面活性剤と、
を含むインクジェットインクにおいて、
Ｒ４がＣ４〜２０アルキルであり、且つ
Ｒ７がＨ及びＣＨ２ＯＨからなる群から選択される、
ことを特徴とするインクジェットインク。
【請求項２】
請求項１に記載のインクジェットインクにおいて、前記インクの表面張力が２７〜３１ｍＮ／ｍの範囲内であることを特徴とするインクジェットインク。
【請求項３】
請求項１に記載のインクジェットインクにおいて、前記第２の界面活性剤がレーキ型モノ−アルコキシル化シリコーン界面活性剤、非イオン性アセチレン系界面活性剤、及びジ（Ｃ４〜３０アルキル）スルホスクシネート界面活性剤からなる群から選択されることを特徴とするインクジェットインク。
【請求項４】
請求項１に記載のインクジェットインクにおいて、前記第２の界面活性剤の量が０．０１〜０．２ｗｔ．％の範囲内であることを特徴とするインクジェットインク。
【請求項５】
請求項１に記載のインクジェットインクにおいて、前記第１の界面活性剤の量が０．１〜１ｗｔ．％の範囲内であることを特徴とするインクジェットインク。
【請求項６】
請求項１に記載のインクジェットインクにおいて、前記第１の界面活性剤が前記第２の界面活性剤よりも多い量で存在することを特徴とするインクジェットインク。
【請求項７】
請求項１に記載のインクジェットインクにおいて、前記第２の界面活性剤が式（ＩＩ）：
2021535940.tif 000013
（式中、
Ｒ３は、式（ＩＩＩ）：
−（ＣＨ２）ｐＯ−（Ｃ２Ｈ４Ｏ）ｑ−（Ｃ３Ｈ６Ｏ）ｒＨ  （ＩＩＩ）
の部分であり、
ｂは、１、２、３、４、又は５であり、
ｃは、１、２、３、４、又は５であり、
ｐは、１、２、３、４、又は５であり、
ｑは、０〜２００であり、
ｒは、０〜２００であり、且つ
ｑ＋ｒは、１超である）
のレーキ型モノ−アルコキシル化シリコーン化合物であることを特徴とするインクジェットインク。
【請求項８】
請求項１に記載のインクジェットインクにおいて、前記第２の界面活性剤が式（ＩＶ）：
2021535940.tif 000014
（式中、
Ｒ５及びＲ６は、各々独立して、Ｃ４〜３０アルキルから選択され、且つ
Ｍは、Ｌｉ、Ｎａ、及びＫからなる群から選択される金属である）
で示されることを特徴とするインクジェットインク。
【請求項７】
請求項１に記載のインクジェットインクにおいて、前記第１及び第２の界面活性剤の組合せ全量が０．０５〜２ｗｔ．％の範囲内であることを特徴とするインクジェットインク。
【請求項９】
請求項１に記載のインクジェットインクにおいて、前記インクがポリマー樹脂及びＡＢＡ型ビス−アルコキシル化シリコーン化合物からなる群から選択される耐久性添加剤を含むことを特徴とするインクジェットインク。
【請求項１０】
請求項１に記載のインクジェットインクにおいて、前記インクビヒクルが水と１種以上の共溶媒とを含むことを特徴とするインクジェットインク。
【請求項１１】
請求項１０に記載のインクジェットにおいて、前記共溶媒がグリコールエーテル及び／又は１，２−アルキルジオールからなる群から選択される少なくとも１種の浸透剤を含むことを特徴とするインクジェットインク。
【請求項１２】
請求項１０に記載のインクジェットインクにおいて、前記共溶媒がトリエチレングリコール及びグリセロールの少なくとも１種を含むことを特徴とするインクジェットインク。
【発明の詳細な説明】
【技術分野】
【０００１】
本発明はインクジェットインクに関する。それは、主に、媒体上に印刷されたインクの乾燥時間を向上させるとともにプリントヘッドの脱水性能（たとえばデキャップ時間）を向上させるために開発されてきた。
【背景技術】
【０００２】
本出願人は、媒体幅全体に延在する固定Ｍｅｍｊｅｔ（登録商標）プリントヘッドを利用する多くの高速インクジェットプリンターを開発してきた。これとは対照的に、ほとんどの他の型のインクジェットプリンターは、媒体幅全体を横切る走査プリントヘッドを利用する。
【０００３】
高速ページ幅プリンティングは、必然的に、従来型のインクジェットプリントヘッドと比較してプリントヘッドの設計にさらなる要求を突きつける。ノズルデバイスは、自己冷却設計、高いインク補充速度、及び高い熱効率を有していなければならない。この目的のために、本出願人は、サスペンド抵抗ヒーターエレメントを有するもの（たとえば、米国特許第６，７５５，５０９号明細書、米国特許第７，２４６，８８６号明細書、米国特許第７，４０１，９１０号明細書、及び米国特許第７，６５８，９７７号明細書（それらの内容は参照により本明細書に組み込まれる）に記載のもの）並びに埋込み（「結合」）抵抗ヒーターエレメントを有するもの（たとえば、米国特許第７，３７７，６２３号明細書、米国特許第７，４３１，４３１号明細書、米国特許第９，９５０，５２７号明細書、米国特許第９，２８３，７５６号明細書、及び米国特許第９，９９４，０１７号明細書（それらの内容は参照により本明細書に組み込まれる）に記載のもの）をはじめとする一連の熱バブル形成プリントヘッドを開発してきた。
【０００４】
インクジェットインクは、プリントヘッド寿命、ノズル脱水、ノズル補充速度、乾燥時間、プリント品質、及びプリント耐久性などのいくつかの異なる性能特性を制御するために性質のバランスを必要とする。過去３０年間ほどにわたり、インク配合化学者は、インク性能を調整するために一群の蓄積された配合「手段」を開発してきた。たとえば、インク性能を制御するために、顔料ディスパージョン、共溶媒、界面活性剤、及び他のインク添加剤の変化を使用しうる。しかしながら、インク配合の変化を介して一方の性能特性を向上させようとすると他方の性能特性に有害な影響を及ぼすということがしばしば起こる。したがって、インク配合の目標は、所与の使用事例に許容可能な性質のバランスを有するインクを提供することである。
【０００５】
乾燥時間とは、プリントされた後にインクを乾燥させるのに要する時間を意味する。乾燥時間は、媒体シートがプリント後に互いに重ねてスタックされるハイスピード枚葉プリントシステムではとくに重要である。そのほか、枚葉媒体フィード機構は、典型的には、媒体フィード路に沿って媒体を搬送するために一連のローラーを含む。インクの乾燥時間は、少なくともある程度、媒体フィード路の設計、とくにプリントゾーンの下流のローラー（たとえばスターホイール）の近接度を決定する。理想的には、下流ローラーは、プリントゾーンを通る媒体移動の最大制御を付与するためにプリントゾーンのできる限り近くに配置される。一方、ローラーがプリントゾーンに近すぎてプリントされたインクが下流ローラーに接触する前に十分に乾燥しなかった場合、ローラーを通るプリントされた媒体の望ましくないマーキング（いわゆる「トラックマーク」）が問題になる。したがって、とりわけ光沢媒体上にプリントするには、乾燥時間を最小限に抑えたインクを配合することが望ましい。
【０００６】
プリント後は媒体上でインクを迅速に乾燥させることが望まれるが、逆説的に、プリントヘッドのインクジェットノズルに位置するときはインクを相対的にゆっくりと乾燥させることも望まれる。インクがプライムされたインクジェットノズルは、好ましくは、アクチュエート時に意図されたトラジェクトリー及び液滴速度でインクのドロップレットを吐出するように準備されるべきである。しかしながら、ある時間にわたりインクジェットノズルが不使用である場合、水の蒸発を介してノズル内のインクの粘度が増加する傾向が見られる。インク粘度の上昇は、望ましくないほど液滴方向性及び／又は液滴速度の損失ひいてはプリント品質の損失を引き起こす。最悪の場合、インクジェットノズルは、ある時間後に完全に目詰まりして非吐出状態になることがある。典型的には、Ｍｅｍｊｅｔ（登録商標）プリンターは、プリント時に健全ノズルを維持するために「保湿スピット」のストラテジーを利用する。特定ノズルがあらかじめ決められた時間にわたり不使用である場合、プリントされる実画像コンテンツにかかわらず保湿スピットを吐出するように指示される（たとえば、米国特許第９，４３４，１５６号明細書（その内容は参照により本明細書に組み込まれる）を参照されたい）。あらかじめ決められた保湿パターンで十分に低周波数の保湿スピットを用いると、追加のプリントされるドロップレットは、画像コンテンツの一部でなく、人間の肉眼では事実上検出不能である。それにもかかわらず、プリント品質を最適化するように保湿スピットの周波数を最小限に抑えることが依然として望ましい。さらに、外部メンテナンス介入なしにノズルをアンキャップ状態で放置可能な最大時間であるプリントヘッドの「デキャップ」時間を最小限に抑えることが望ましい。本明細書で用いられる場合、プリントヘッドの脱水性能とは、プリントヘッドの許容可能なプリント品質（標準試験パターンにより判定したとき）及び／又はデキャップ時間に必要とされる最小保湿スピッティング（ＫＷＳ）周波数を意味し、より低いＫＷＳ周波数又はより長いデキャップ時間は、向上したプリントヘッド脱水性能を表す。
【０００７】
米国特許第６，６３８，３５０号明細書には、インクジェットインクで浸透剤として使用するためのジエチレングリコールブチルエーテル（ブチルジグリコール）やジエチレングリコールヘキシルエーテル（ヘキシルジグリコール）などのグリコールエーテルが記載されている。
【０００８】
米国特許第７，３４１，９８５号明細書には、とくに、塗料、インク、表面クリーナー、現像溶液、金属加工液、濯ぎ助剤配合物、衣類洗剤、シャンプー、コンディショナー、サンスクリーンなどに使用するのに好適なチオエーテル界面活性剤が記載されている。
【発明の概要】
【０００９】
第１の態様では、
インクビヒクルと、
ジエチレングリコールＣ３〜８アルキルエーテルと、
式（Ｉ）の第１の界面活性剤と、
2021535940.tif 000003
第１の界面活性剤とは異なる第２の界面活性剤と、
を含むインクジェットインクが提供される。上記式中、
Ｒ４は、Ｃ４〜２０アルキルであり、且つ
Ｒ７は、Ｈ及びＣＨ２ＯＨからなる群から選択される（好ましくはＲ７はＨである）。
【００１０】
第１の態様に係るインクジェットインクは、有利なことに、とりわけ光沢媒体上で優れた乾燥時間を提供し、それと同時に向上したプリントヘッド脱水性能を提供する。
【００１１】
好ましくは、ジエチレングリコールＣ３〜８アルキルエーテルは、ジエチレングリコールモノ−ブチルエーテル、ジエチレングリコールモノ−ペンチルエーテル、及びジエチレングリコールモノ−ヘキシルエーテルからなる群から選択される。
【００１２】
好ましくは、ジエチレングリコールＣ３〜８アルキルエーテルの量は、０．５〜１０ｗｔ．％の範囲内である。好ましくは、ジエチレングリコールＣ３〜８アルキルエーテルの量は、第１の界面活性剤の量よりも多く且つ第２の界面活性剤の量よりも多い。好ましくは、ジエチレングリコールＣ３〜８アルキルエーテルの量は、第１及び第２の界面活性剤の組合せ量よりも多い。
【００１３】
好ましくは、インクの表面張力は、２７〜３１ｍＮ／ｍ、又は好ましくは２８〜３０ｍＮ／ｍの範囲内である。
【００１４】
第２の界面活性剤は、非イオン性又は陰イオン性界面活性剤でありうる。好ましくは、第２の界面活性剤は、レーキ型モノ−アルコキシル化シリコーン界面活性剤、非イオン性アセチレン系界面活性剤、及びジ（Ｃ４〜３０アルキル）スルホスクシネート界面活性剤からなる群から選択される。
【００１５】
一実施形態では、第２の界面活性剤は、式（ＩＩ）：
2021535940.tif 000004
（式中、
Ｒ３は、式（ＩＩＩ）：
−（ＣＨ２）ｐＯ−（Ｃ２Ｈ４Ｏ）ｑ−（Ｃ３Ｈ６Ｏ）ｒＨ  （ＩＩＩ）
の部分であり、
ｂは、１、２、３、４、又は５であり、
ｃは、１、２、３、４、又は５であり、
ｐは、１、２、３、４、又は５であり、
ｑは、０〜２００であり、
ｒは、０〜２００であり、且つ
ｑ＋ｒは、１超である）
のレーキ型モノ−アルコキシル化シリコーン化合物である。
【００１６】
より好ましくは、ｑ≠０、ｒ≠０。たとえば、ｑは、１〜１０であってもよく、且つｒは、１〜１０であってもよい。
【００１７】
好ましくは、第２の界面活性剤の量は、０．０１〜０．２ｗｔ．％又は０．０２〜０．１ｗｔ．％の範囲内である。通常は、第２の界面活性剤の量は、０．１ｗｔ．％以下である。
【００１８】
好ましくは、第１の界面活性剤の量は、０．１〜２ｗｔ．％又は０．２〜１ｗｔ．％の範囲内である。
【００１９】
好ましくは、第１の界面活性剤の量は、第２の界面活性剤の量よりも多い。いくつかの実施形態では、第１の界面活性剤と第２の界面活性剤との比は、２：１〜２０：１又は５：１〜１５：１の範囲内である。典型的には、比は少なくとも５：１である。
【００２０】
好ましい実施形態では、第２の界面活性剤は、式（ＩＶ）：
2021535940.tif 000005
（式中、
Ｒ５及びＲ６は、各々独立して、Ｃ４〜３０アルキル（好ましくはＣ６〜２０アルキル）から選択され、且つ
Ｍは、Ｌｉ、Ｎａ、及びＫからなる群から選択される金属である）
で示される。
【００２１】
いくつかの実施形態では、インクは、第１及び第２の界面活性剤とは異なる第３の界面活性剤を含みうる。第３の界面活性剤は、とくに限定されるものではなく、たとえば、本明細書に記載のレーキ型モノ−アルコキシル化シリコーン界面活性剤、非イオン性アセチレン系界面活性剤、及びジ（Ｃ４〜３０アルキル）スルホスクシネート界面活性剤からなる群から選択しうる。
【００２２】
典型的には、第１及び第２の界面活性剤（又は第１、第２、及び第３の界面活性剤）の組合せ全量は、０．０５〜２ｗｔ．％又は好ましくは０．１〜１ｗｔ％の範囲内である。
【００２３】
いくつかの実施形態では、インクは、プリント耐久性（たとえば、耐引掻き性及び／又は耐擦過性）を向上させるために耐久性添加剤を含む。典型的には、耐久性添加剤は、０．１〜２ｗｔ．％の範囲内の量で存在する。耐久性添加剤は、たとえば、ポリマー樹脂（たとえばアクリル系樹脂）又はＡＢＡ型ビス−アルコキシル化シリコーン化合物でありうる。ＡＢＡ型ビス−アルコキシル化シリコーン化合物の例としては、式（Ｖ）：
2021535940.tif 000006
（式中、
ａは、１、２、３、４、又は５であり、且つ
Ｒ１及びＲ２は、各々独立して、以上に記載の式（ＩＩＩ）の部分である）
の化合物が挙げられる。
【００２４】
ＡＢＡ型ビス−アルコキシル化シリコーン化合物の具体例は、Ｄｏｗ  Ｃｏｒｎｉｎｇ  Ａｄｄｉｔｉｖｅ  ８５２６である。
【００２５】
「アルキル」という用語は、典型的には１〜３０個の炭素原子を有する直線形状及び分岐形状の両方のアルキル基を意味するものとして本明細書で用いられる。とくに明記されていない限り、アルキル基はまた、１、２、又は３つの二重結合及び／又は三重結合が介在しうる。しかしながら、「アルキル」という用語は、通常は二重結合も三重結合も介在しないアルキル基を意味する。「アルキル」という用語は、通常は非環式アルキル基を意味するが、シクロアルキル基も含みうる。
【００２６】
本明細書で用いられる場合、「インク」という用語は、インクジェットプリントヘッドからプリントしうるいずれかのプリント流体を意味するものとみなされる。インクは、着色剤を含有していてもいなくてもよい。それゆえ、「インク」という用語は、従来の染料系又は顔料系インク、赤外インク、固定剤（たとえば、プレコート及び仕上げ剤）、３Ｄプリント流体などを含みうる。流体又はプリント流体が参照された場合、これは本明細書の「インク」の意味を限定することを意図したものではない。
【発明を実施するための形態】
【００２７】
本発明者らは、一連のプリント媒体上で枚葉プリンター用のインクジェットインク配合物を改善する問題の解決策を探求した。特定的には、本発明者らは、優れた乾燥時間及び優れたプリントヘッド脱水性能の逆説的要件を満たすインク配合物を探求した。
【００２８】
最初に、乾燥時間を削減するうえでの有効性に及ぼす既知の浸透剤の影響を調べた。ジエチレングリコールモノ−アルキルエーテル（たとえばｎ−ブチルジグリコール）を含む配合物は、この浸透剤の欠如した類似の配合物と比較して有意に短い乾燥時間を有することが分かった。しかしながら、プリントヘッド脱水性能は、相対的に不十分であると思われたので、乾燥時間を短くするうえでの有効性及びプリントヘッド脱水性能を向上させるうえでの有効性に関して代替界面活性剤パッケージを調べた。
【００２９】
驚くべきことに、小分子チオエーテル界面活性剤（たとえば、Ａｉｒ  Ｐｒｏｄｕｃｔｓ  ａｎｄ  Ｃｈｅｍｉｃａｌｓ，Ｉｎｃ．製のＤｙｎｏｌ（商標）３６０）を含む界面活性剤パッケージは、他の界面活性剤と比較して乾燥時間及びプリントヘッド脱水性能の両方を向上させた。追加の小分子スルホネート界面活性剤（たとえば、ＢＹＫ  Ｊａｐａｎ  Ｋ．Ｋ．製のＢＹＫ−３４１０）を含む界面活性剤パッケージは、最も有効であることが分かったが、追加の代替界面活性剤を含有する界面活性剤パッケージは、チオエーテル界面活性剤を単独で含有するものよりもさらに有効であった。
【００３０】
理論により拘束されることを望むものではないが、チオエーテル界面活性剤の拡散速度又はマイグレーション速度が速いため、プリント媒体中へのインクの浸透が促進されて乾燥時間が削減されるだけでなく、速い拡散機構を介してプリントヘッドの水和ノズルの維持も支援されると考える。追加の界面活性剤によりインクの表面張力を最適化すると、インクの全体性能はさらに向上する。
【００３１】
着色剤
本発明で利用されるインクは、典型的には、染料系、又は顔料系インク、好ましくは顔料系インクである。
【００３２】
インクジェット染料は当業者に周知であり、本発明は特定の型の染料になんら限定されるものではない。例として、本発明で使用するのに好適な染料としては、アゾ染料（たとえばフードブラック２）、金属錯体染料、ナフトール染料、アントラキノン染料、インジゴ染料、カルボニウム染料、キノン−イミン染料、キサンテン染料、シアニン染料、キノリン染料、ニトロ染料、ニトロソ染料、ベンゾキノン染料、ナフトキノン染料、フタロシアニン染料（ナフタロシアニン染料を含む）、及び金属フタロシアニン染料（金属ナフタロシアニン染料を含む）、たとえば、米国特許第７，１４８，３４５号明細書に記載のもの（その内容は参照により本明細書に組み込まれる）が挙げられる。
【００３３】
好適な染料の例としては、ＣＩダイレクトブラック４、９、１１、１７、１９、２２、３２、８０、１５１、１５４、１６８、１７１、１９４、及び１９５、ＣＩダイレクトブルー１、２、６、８、２２、３４、７０、７１、７６、７８、８６、１４２、１９９、２００、２０１、２０２、２０３、２０７、２１８、２３６、及び２８７、ＣＩダイレクトレッド１、２、４、８、９、１１、１３、１５、２０、２８、３１、３３、３７、３９、５１、５９、６２、６３、７３、７５、８０、８１、８３、８７、９０、９４、９５、９９、１０１、１１０、１８９、２２５、及び２２７、ＣＩダイレクトイエロー１、２、４、８、１１、１２、２６、２７、２８、３３、３４、４１、４４、４８、８６、８７、８８、１３２、１３５、１４２、及び１４４、ＣＩフードブラック１及び２、ＣＩアシッドブラック１、２、７、１６、２４、２６、２８、３１、４８、５２、６３、１０７、１１２、１１８、１１９、１２１、１７２、１９４、及び２０８、ＣＩアシッドブルー１、７、９、１５、２２、２３、２７、２９、４０、４３、５５、５９、６２、７８、８０、８１、９０、１０２、１０４、１１１、１８５、及び２５４、ＣＩアシッドイエロー１、３、４、７、１１、１２、１３、１４、１９、２３、２５、３４、３８、４１、４２、４４、５３、５５、６１、７１、７６、及び７９、ＣＩリアクティブブルー１、２、３、４、５、６、７、８、９、１３、１４、１５、１７、１８、１９、２０、２１、２５、２６、２７、２８、２９、３１、３２、３３、３４、３７、３８、３９、４０、４１、４３、４４、及び４６、ＣＩリアクティブレッド１、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４４、４５、４６、４９、５０、５８、５９、６３、６４、及び１８０、ＣＩリアクティブイエロー１、２、３、４、６、７、１１、１２、１３、１４、１５、１６、１７、１８、２２、２３、２４、２５、２６、２７、３７、及び４２、ＣＩリアクティブブラック１、３、４、５、６、８、９、１０、１２、１３、１４及び１８の、Ｐｒｏ−Ｊｅｔ（登録商標）ファーストシアン２（Ｆｕｊｉｆｉｌｍ  Ｉｍａｇｉｎｇ  Ｃｏｌｏｒａｎｔｓ）、Ｐｒｏ−Ｊｅｔ（登録商標）ファーストマゼンタ２（Ｆｕｊｉｆｉｌｍ  Ｉｍａｇｉｎｇ  Ｃｏｌｏｒａｎｔｓ）、Ｐｒｏ−Ｊｅｔ（登録商標）ファーストイエロー２（Ｆｕｊｉｆｉｌｍ  Ｉｍａｇｉｎｇ  Ｃｏｌｏｒａｎｔｓ）、及びＰｒｏ−Ｊｅｔ（登録商標）ファーストブラック２（Ｆｕｊｉｆｉｌｍ  Ｉｍａｇｉｎｇ  Ｃｏｌｏｒａｎｔｓ）が挙げられる。
【００３４】
本発明で使用するのに好適な従来の顔料は、無機顔料であっても有機顔料であってもよい。従来の顔料の例は、カーボンブラック、カドミウムレッド、モリブデンレッド、クロムイエロー、カドミウムイエロー、チタンイエロー、酸化クロム、ビリジアン、チタンコバルトグリーン、ウルトラマリンブルー、プルシアンブルー、コバルトブルー、ジケトピロロ−ピロール、アントラキノン、ベンゾイミダゾロン、アントラピリミジン、アゾ顔料、フタロシアニン顔料（ナフトロシアニン顔料を含めて）、キナクリドン顔料、イソインドリノン顔料、ジオキサジン顔料、インダントレン顔料、ペリレン顔料、ペリノン顔料、チオインジゴ顔料、キノフタロン顔料、及び金属錯体顔料である。
【００３５】
好適な顔料の例としては、シアンＣＯＪ４５０（Ｃａｂｏｔ）、Ｄ７１Ｃ、及びＤ７５Ｃ（Ｄｉａｍｏｎｄ  Ｄｉｓｐｅｒｓｉｏｎｓ）、マゼンタＣＯＪ４６５（Ｃａｂｏｔ）、Ｄ７１Ｍ、Ｄ７５Ｍ、Ｄ７１ＰＶ１９（Ｄｉａｍｏｎｄ  Ｄｉｓｐｅｒｓｉｏｎｓ）、ＨｏｓｔａｊｅｔマゼンタＥ−ＰＴ  ＶＰ２６９０及びＨｏｓｔａｊｅｔマゼンタＥ５Ｂ−ＰＴ  ＶＰ３５６５（Ｃｌａｒｉａｎｔ）、イエローＣＯＪ２７０及びＣＯＪ４７０（Ｃａｂｏｔ）、又はＤ７１Ｙ、Ｄ７１Ｙ１５５、Ｄ７５Ｙ（Ｄｉａｍｏｎｄ  Ｄｉｓｐｅｒｓｉｏｎｓ）、及びＨｏｓｔａｊｅｔイエロー４Ｇ−ＰＴ  ＶＰ２６６９（Ｃｌａｒｉａｎｔ）、ブラックＣＷ１、ＣＷ２、ＣＷ３（Ｏｒｉｅｎｔ）又はＣＯＪ２００、ＣＯＪ３００、ＣＯＪ４００（Ｃａｂｏｔ）又はＳＤＰ１０００、ＳＤＰ２０００（Ｓｅｎｓｉｅｎｔ）、又はＤ７１Ｋ、Ｄ７５Ｋ、Ｄ７７Ｋ、Ｄ８０Ｋ（Ｄｉａｍｏｎｄ  Ｄｉｓｐｅｒｓｉｏｎｓ）及びＨｏｓｔａｊｅｔブラックのＯ−ＰＴ（Ｃｌａｒｉａｎｔ）、レッドＤ７１Ｒ（Ｄｉａｍｏｎｄ  Ｄｉｓｐｅｒｓｉｏｎｓ）、ブルーＤ７１Ｂ（Ｄｉａｍｏｎｄ  Ｄｉｓｐｅｒｓｉｏｎｓ）が挙げられる。
【００３６】
顔料は、表面改質顔料などの自己分散性顔料でありうる。表面改質は、陰イオン性基、陽イオン性基、又は顔料表面のいずれかの直接改質によるものでありうる。典型的な表面改質基は、カルボキシレート基及びスルホネート基である。しかしながら、陰イオン性ホスフェート基や陽イオン性アンモニウム基などの他の表面改質基もまた、使用しうる。
【００３７】
好適な水性の表面改質顔料ディスパージョンの具体例は、Ｓｅｎｓｉｊｅｔ（登録商標）ブラックＳＤＰ２０００、ＳＤＰ１０００及びＳＤＰ１００（Ｓｅｎｓｉｅｎｔ  Ｃｏｌｏｒｓ  Ｉｎｃ．から入手可能）、並びにＣＡＢ−Ｏ−ＪＥＴ（登録商標）２００、３００、２５０Ｃ、２６０Ｍ、及び２７０Ｙ（Ｃａｂｏｔ  Ｃｏｒｐｏｒａｔｉｏｎから入手可能）である。
【００３８】
代替的に、顔料は、非改質顔料粒子をカプセル化するために高分子分散剤を含む従来の顔料ディスパージョンでありうる。好適な顔料ディスパージョン及びその調製の例は、たとえば、米国特許第９，８３４，６９４号明細書（その内容は参照により本明細書に組み込まれる）に記載されている。
【００３９】
インクジェットインク中の顔料粒子の平均粒子サイズは、任意選択的に５０〜５００ｎｍの範囲内である。
【００４０】
顔料及び染料は、単独又はそれらの２種以上の組合せのいずれかでインクジェットインクで使用しうる。
【００４１】
インクビヒクル
本発明で使用されるインクビヒクルは、典型的には、少なくとも４０ｗｔ％の水、少なくとも５０ｗｔ％の水、又は少なくとも６０ｗｔ％の水を含む従来の水性インクビヒクルである。通常、インクジェットインク中に存在する水の量は、４０ｗｔ％〜９０ｗｔ％又は任意選択的に５０ｗｔ％〜７０ｗｔ％の範囲内である。
【００４２】
本発明に係るインクは、溶媒（保湿剤、浸透剤、湿潤剤などを含む）、界面活性剤、殺生物剤、金属イオン封鎖剤、ｐＨ調整剤、粘度調整剤などをさらに含みうる。
【００４３】
共溶媒は、典型的には水溶性有機溶媒である。好適な水溶性有機溶媒としては、Ｃ１〜４アルキルアルコール、たとえば、エタノール、メタノール、ブタノール、プロパノール、２−プロパノールなど、アルキレングリコール、たとえば、エチレングリコール、ジエチレングリコール、トリエチレングリコール、テトラエチレングリコールなど、グリコールエーテル、たとえば、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、ジプロピレングリコールモノ−ｎ−ブチルエーテルなど、ホルムアミド、アセトアミド、ジメチルスルホキシド、ソルビトール、ソルビタン、グリセロールモノアセテート、グリセロールジアセテート、グリセロールトリアセテート、及びスルホラン、又はそれらの組合せが挙げられる。
【００４４】
共溶媒として使用しうる他の有用な水溶性有機溶媒としては、極性溶媒、たとえば、２−ピロリドン、Ｎ−メチルピロリドン、ε−カプロラクタム、ジメチルスルホキシド、モルホリン、Ｎ−エチルモルホリン、１，３−ジメチル−２−イミダゾリジノン、及びそれらの組合せが挙げられる。
【００４５】
インクジェットインクは、インク組成物に保水性及び湿潤性を付与するための湿潤剤又は保湿剤として機能可能な他の高沸点水溶性有機溶媒を共溶媒として含有しうる。高沸点水溶性有機溶媒の例は、２−ブテン−１，４−ジオール、２−エチル−１，３−ヘキサンジオール、２−メチル−２，４−ペンタンジオール、トリプロピレングリコールモノメチルエーテル、ジプロピレングリコールモノエチルグリコール、ジプロピレングリコールモノエチルエーテル、ジプロピレングリコールモノメチルエーテル、ジプロピレングリコール、トリエチレングリコールモノメチルエーテル、ジエチレングリコールモノブチルエーテル、ジエチレングリコールモノエチルエーテル、ジエチレングリコールモノメチルエーテル、トリプロピレングリコール、２０００以下の分子量を有するポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセロール、トリメチロールプロパン、エリトリトール、ペンタエリトリトール，及びそれらの組合せである。
【００４６】
他の好適な湿潤剤又は保湿剤としては、糖（単糖、オリゴ糖、及び多糖を含む）及びそれらの誘導体（たとえば、マルチトール、ソルビトール、キシリトール、ヒアルロン酸塩、アルドン酸、ウロン酸など）が挙げられる。
【００４７】
インクジェットインクはまた、記録媒体中への水性インクの浸透を加速のための浸透剤を共溶媒の１つとして含有うる。好適な浸透剤としては、多価アルコールアルキルエーテル（グリコールエーテル）及び／又は１，２−アルキルジオールが挙げられる。好適な多価アルコールアルキルエーテルの例は、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、エチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、及びジプロピレングリコールモノ−ｎ−ブチルエーテルである。好適な１，２−アルキルジオールの例は、１，２−ペンタンジオール及び１，２−ヘキサンジオールである。浸透剤はまた、１，３−プロパンジオール、１，４−ブタンジオール、１，５−ペンタンジオール、１，６−ヘキサンジオール、１，７−ヘプタンジオール、１，８−オクタンジオールなどの直鎖状炭化水素ジオールからも選択しうる。グリセロールはまた、浸透剤としても使用しうる。
【００４８】
以上で事前に示したように、ジエチレングリコールモノ−ｎ−ブチルエーテル（ｎ−ブチルジグリコール）などのジエチレングリコールモノアルキルエーテルは、乾燥時間を向上させるという観点からインクビヒクルに含まれる。
【００４９】
典型的には、インク中に存在する共溶媒の全量は、約５ｗｔ％〜６０ｗｔ％又は任意選択的に１０ｗｔ％〜５０ｗｔ％の範囲内である。
【００５０】
以上で事前に示したように、式（Ｉ）などの非イオン性チオエーテル界面活性剤は、乾燥時間を向上させるという観点から及びプリントヘッドのインクジェットノズルの脱水性能を向上させるという観点からインクビヒクルに含まれる。
【００５１】
インクジェットインクはまた、１種以上の他の界面活性剤、たとえば、陰イオン性界面活性剤、双性イオン性界面活性剤、非イオン性界面活性剤、又はそれらの混合物を含有しうる。有用な陰イオン性界面活性剤としては、スルホン酸型、たとえば、アルカンスルホン酸塩、α−オレフィンスルホン酸塩、アルキルベンゼンスルホン酸塩、アルキルナフタレンスルホン酸、アシルメチルタウリン、及びジアルキルスルホコハク酸、アルキル硫酸エステル塩、硫酸化油、硫酸化オレフィン、ポリオキシエチレンアルキルエーテル硫酸エステル塩、カルボン酸型、たとえば、脂肪酸塩及びアルキルサルコシン塩、並びにリン酸エステル型、たとえば、アルキルリン酸エステル塩、ポリオキシエチレンアルキルエーテルリン酸エステル塩、及びグリセロリン酸エステル塩が挙げられる。陰イオン性界面活性剤の具体例は、ジ（Ｃ６−３０アルキル）スルホスクシネートナトリウム塩、ドデシルベンゼンスルホネート、ナトリウムラウレート、及びポリオキシエチレンアルキルエーテルスルフェートアンモニウム塩である。
【００５２】
双性イオン性界面活性剤の例としては、Ｎ，Ｎ−ジメチル−Ｎ−オクチルアミンオキシド、Ｎ，Ｎ−ジメチル−Ｎ−ドデシルアミンオキシド、Ｎ，Ｎ−ジメチル−Ｎ−テトラデシルアミンオキシド、Ｎ，Ｎ−ジメチル−Ｎ−ヘキサデシルアミンオキシド、Ｎ，Ｎ−ジメチル−Ｎ−オクタデシルアミンオキシド、及びＮ（Ｎ−ジメチル−Ｎ−（Ｚ−９−オクタデセニル）−Ｎ−アミンオキシド）が挙げられる。
【００５３】
非イオン性界面活性剤の例としては、エチレンオキシド付加体型、たとえば、ポリオキシエチレンアルキルエーテル、ポリオキシエチレンアルキルフェニルエーテル、ポリオキシエチレンアルキルエステル、及びポリオキシエチレンアルキルアミド、ポリオールエステル型、たとえば、グリセロールアルキルエステル、ソルビタンアルキルエステル、及び糖アルキルエステル、ポリエーテル型、たとえば、多価アルコールアルキルエーテル、並びにアルカノールアミド型、たとえば、アルカノールアミン脂肪酸アミドが挙げられる。非イオン性界面活性剤の具体例は、エーテル、たとえば、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、及びポリオキシアルキレンアルキルエーテル（たとえば、ポリオキシエチレンアルキルエーテル）、並びにエステル、たとえば、ポリオキシエチレンオレエート、ポリオキシエチレンオレエートエステル、ポリオキシエチレンジステアレート、ソルビタンラウレート、ソルビタンモノステアレート、ソルビタンモノオレエート、ソルビタンセスキオレエート、ポリオキシエチレンモノオレエート、及びポリオキシエチレンステアレートである。
【００５４】
アセチレングリコール界面活性剤、たとえば、２，４，７，９−テトラメチル−５−デシン−４，７−ジオール、エトキシル化２，４，７，９−テトラメチル−５−デシン−４，７−ジオール、３，６−ジメチル−４−オクチン−３，６−ジオール、又は３，５−ジメチル−１−ヘキシン−３−オールを使用することも可能である。本発明で使用しうる非イオン性界面活性剤の具体例は、Ｓｕｒｆｙｎｏｌ（登録商標）４６５及びＳｕｒｆｙｎｏｌ（登録商標）４４０（Ａｉｒ  Ｐｒｏｄｕｃｔｓ  ａｎｄ  Ｃｈｅｍｉｃａｌｓ，Ｉｎｃから入手可能）である。
【００５５】
レーキ型アルコキシル化シリコーン界面活性剤はまた、第１の態様に係る配合物でも使用しうる。レーキ型エトキシル化シリコーン界面活性剤の具体例は、ＢＹＫ−３４５、ＢＹＫ−３４６、及びＢＹＫ−３４９（ＢＹＫ  Ｊａｐａｎ  Ｋ．Ｋ．製）、さらにはＳｉｌｆａｃｅ（商標）ＳＡＧ−００２、ＳＡＧ−００５、ＳＡＧ−００８、ＳＡＧ−ＫＢ、及びＳＡＧ−５０３Ａ（Ｎｉｓｓｉｎ  Ｃｈｅｍｉｃａｌ  Ｉｎｄｕｓｔｒｙ  Ｃｏ．Ｌｔｄ．製）である。
【００５６】
界面活性剤は、典型的には、０．０５ｗｔ．％〜２ｗｔ％又は０．１〜１ｗｔ．％の範囲内の量で水性インクジェットインク中に存在する。
【００５７】
水性インクジェットインクはまた、ｐＨ調整剤又は緩衝剤、たとえば、水酸化ナトリウム、水酸化カリウム、水酸化リチウム、炭酸ナトリウム、炭酸水素ナトリウム、炭酸カリウム、炭酸水素カリウム、炭酸リチウム、リン酸ナトリウム、リン酸カリウム、リン酸リチウム、リン酸二水素カリウム、リン酸水素二カリウム、シュウ酸ナトリウム、シュウ酸カリウム、シュウ酸リチウム、ホウ酸ナトリウム、四ホウ酸ナトリウム、フタル酸水素カリウム、及び酒石酸水素カリウム、アンモニア、並びにアミン、たとえば、メチルアミン、エチルアミン、ジエチルアミン、トリメチルアミン、トリエチルアミン、トリス（ヒドロキシメチル）アミノメタン塩酸塩、トリエタノールアミン、ジエタノールアミン、ジエチルエタノールアミン、トリイソプロパノールアミン、ブチルジエタノールアミン、モルホリン、プロパノールアミン、４−モルホリンエタンスルホン酸、及び４−モルホリンプロパンスルホン酸（「ＭＯＰＳ」）を含みうる。ｐＨ調整剤の量は、存在する場合、典型的には０．０１〜２ｗｔ．％又は０．０５〜１ｗｔ．％の範囲内である。
【００５８】
水性インクジェットインクはまた、殺生物剤、たとえば、安息香酸、ジクロロフェン、ヘキサクロロフェン、ソルビン酸、ヒドロキシ安息香酸のエステル、ナトリウムデヒドロアセテート、１，２−ベンチアゾリン−３−オン（Ａｒｃｈ  Ｃｈｅｍｉｃａｌｓ，Ｉｎｃ．から入手可能な「Ｐｒｏｘｅｌ（登録商標）ＧＸＬ」）、３，４−イソチアゾリン−３−オン、又は４，４−ジメチルオキサゾリジンを含みうる。殺生物剤の量は、存在する場合、典型的には０．０１〜２ｗｔ．％又は０．０５〜１ｗｔ．％の範囲内である。
【００５９】
水性インクジェットインクはまた、金属イオン封鎖剤、たとえば、エチレンジアミン四酢酸（ＥＤＴＡ）を含有しうる。
【００６０】
インクジェットプリントヘッド
本発明に係るインクは、主にサーマルインクジェットプリントヘッドに関連した使用に供されるが、当然ながら他の型のプリントヘッドにも使用しうる。模範的タイプのインクジェットプリントヘッドは、たとえば、米国特許第９，９５０，５２７号明細書、米国特許第９，２８３，７５６号明細書、及び米国特許第９，９９４，０１７号明細書（それらの各々の内容は参照により本明細書に組み込まれる）に記載されている。
【実施例】
【００６１】
実験の部
乾燥時間擦過試験
矩形に折り畳んだプリントされていない媒体をベタ塗りプリントされたインクの領域を横切って５回擦過する。プリント後、各種インターバルで、擦過表面の外観を非擦過表面と比較して次のように視覚的にグレード分けした。０＝認知不能、１＝かろうじて認知可能、２＝中程度に認知可能、３＝非常に認知可能、４＝きわめて認知可能。
【００６２】
プリントヘッド脱水試験法
所要ＫＷＳ：Ｍｅｍｊｅｔ（登録商標）プリントヘッドチップを用いて標準試験パターンをプリントした。各ノズルは、あらかじめ決められた周波数で且つプリント品質の損失が解析される試験パターンで保湿スピット（ＫＷＳ）を発射するように構成される。所要ＫＷＳは、標準試験パターンで許容可能なプリント品質が維持される周波数を表す。より高いＫＷＳ周波数は、ノズルの不十分な脱水性能を表し、より低ＫＷＳ周波数は、ノズルの良好な脱水性能を表す。
【００６３】
デキャップ時間：Ｍｅｍｊｅｔ（登録商標）プリントヘッドチップを用いてインクドロップレットをプリントし、あらかじめ決められた時間にわたりプリンティングを中止した。あらかじめ決められた時間後、プリントヘッドチップの脱水ノズルからプリンティングを試みた。プリント可能なドロップレット間の最大時間（デキャップ時間）を測定した。より短いデキャップ時間は、ノズルの不十分な脱水性能を表し、より長いデキャップ時間は、ノズルの良好な脱水性能を表す。
【００６４】
インク配合物
表１に記載のように水性顔料系インク配合し、使用前に濾過した（０．２ミクロン）。インク成分はｗｔ．％として示され、インクはすべて、硝酸アルミニウムとして２ｐｐｍアルミニウムイオンを含有していた。
2021535940.tif 000007
【００６５】
インク１〜３は、以上に記載の実験プロトコルに従ってさまざまな光沢媒体上にプリントした後、乾燥時間を試験した。結果は表２に示される。
2021535940.tif 000008
【００６６】
インク２及び３でｎ−ブチルジグリコールを添加したところ、ｎ−ブチルジグリコールを含有しない第１のベースラインインク（インク１）と比較して、試験されたすべての光沢媒体上でインク乾燥時間が劇的に向上した。
【００６７】
次いで、ｎ−ブチルジグリコールとさまざまな界面活性剤パッケージとを含有する各種インク（インク４〜１２）を配合し、乾燥時間に及ぼすさまざま界面活性剤パッケージの影響を評価した。さまざまな界面活性剤パッケージと配合された各種インクを表３に示す。
2021535940.tif 000009
【００６８】
インク４〜１２は、以上に記載の実験プロトコルに従って光沢媒体上にプリントした後、乾燥時間を試験した。インク４〜１４を第２のベースラインインク（インク２）と比較し、結果を表４に示す。
2021535940.tif 000010
【００６９】
インク９、１０、及び１２は、光沢媒体上の優れた乾燥時間及びとくに第２のベースライン配合物（インク２）と比較して向上した乾燥時間を有する傑出した配合物であった。インク９、１０、及び１２はすべて、Ｄｙｎｏｌ（商標）３６０と第２の界面活性剤（ＳＡＧ−ＫＢ（商標）又はＢＹＫ−３４１０（商標））とを含有し、インク１２は、全体的に最良の乾燥時間結果をもたらした。Ｄｙｎｏｌ（商標）３６０のみ（インク５）又はＢＹＫ−３４１０のみ（インク１１）を含有するインクは、ベースライン配合物（インク２）と比較して相対的に不十分な性能を示した。代替界面活性剤を含有するインク４、６、７、及び８はすべて、第２のベースライン配合物（インク２）と比較して相対的に不十分な性能を示した。
【００７０】
第２のベースライン配合物（インク２）と共に最良の候補インク（インク９及び１２）をプリントヘッド脱水試験に移行した。結果は表５に示される。
2021535940.tif 000011
【００７１】
注目すべき点として、インク９及び１３は、プリントヘッド脱水試験でインク２よりも有意に性能が優れており、かなり低い保湿スピット（ＫＷＳ）周波数を必要とするとともに有意により長いデキャップ時間（インク２と比較して４倍のデキャップ時間）を呈した。したがって、ジエチレングリコールモノ−アルキルエーテルと、第１の非イオン性チオエーテル界面活性剤と、第２の界面活性剤と、の相乗的組合せを含有するインクは、優れた乾燥時間及び優れたプリントヘッド脱水性能のユニークな特性を提供すると結論付けられた。第２の界面活性剤としてジアルキルスルホスクシネートを用いたところ、インク配合物は、乾燥時間及びプリントヘッド脱水性能の両方に関して最適化された。
【００７２】
当然ながら、本発明は単なる例により説明されてきたにすぎず、添付の特許請求の範囲で規定される本発明の範囲内で細部の変更を行いうることは分かるであろう。
【国際調査報告】
2021535940.tif 000016
2021535940.tif 000017